(57)【特許請求の範囲】
【請求項１】
原稿が載置される原稿載置面を上面に含む導電性を有する第１筐体を備え、前記原稿載置面に載置された前記原稿の画像を読み取る画像読取部と、
前記第１筐体の上面端部を回動中心として、前記上面を覆う第１姿勢と前記上面から離れる第２姿勢との間で回動可能に前記第１筐体に支持された第２筐体を備え、前記第１姿勢で前記上面に接触可能なカバー面を含むカバー部と、
前記カバー部における前記回動中心側の予め定められた位置で前記第１筐体と前記第２筐体とを電気的に導通させる導通部と、
前記カバー部が前記第１姿勢にある状態で前記カバー部における回動端側の予め定められた位置で互いに対向するように設けられた一対の導電部材であって、前記画像読取部に設けられて前記第１筐体に電気的に導通している第１導電部材、及び、前記カバー部に設けられて前記第２筐体に電気的に導通している第２導電部材と、
前記カバー部が前記第１姿勢にあるときに前記上面と前記カバー面とが接触する予め定められた基準位置へ向かう方向へ前記第１導電部材及び前記第２導電部材のいずれか一方又は両方を付勢する付勢部と、
前記カバー部が前記第１姿勢から前記第２姿勢にされたことに応じて前記第１導電部材及び前記第２導電部材のいずれか一方又は両方を前記第１筐体及び前記第２筐体のいずれか一方又は両方の内部に収容された状態で保持する保持部と、
を備える画像読取装置。
【請求項２】
前記第２導電部材は、前記第２筐体の内部に収容された収容位置と前記カバー面から突出した突出位置との間で変位可能に前記第２筐体に設けられ、
前記付勢部は、前記第２導電部材を前記基準位置へ向かう方向の付勢力を前記第２導電部材に付与して前記第２導電部材を前記突出位置に変位させ、前記第２導電部材を前記第１導電部材と接触させ、
前記保持部は、前記カバー部が前記第１姿勢から前記第２姿勢にされたことに応じて前記第２導電部材を前記収容位置に戻す方向の力を付与して前記第２導電部材を前記収容位置で保持する請求項１に記載の画像読取装置。
【請求項３】
前記保持部は、前記第２導電部材を前記収容位置において弾性保持し、
前記付勢部は、前記保持部による弾性力に抗して前記第２導電部材を前記突出位置に変位させる請求項２に記載の画像読取装置。
【請求項４】
前記保持部は、前記第２導電部材の外側端部と前記カバー面とが同一面上に位置する状態、又は、前記第２導電部材全体が前記第２筐体の内部に没入した状態で前記第２導電部材を弾性保持する請求項３に記載の画像読取装置。
【請求項５】
前記第１導電部材は、前記第１筐体の内部に収容された収容位置と前記上面から突出した突出位置との間で変位可能に前記第１筐体に設けられ、
前記付勢部は、前記第１導電部材を前記基準位置へ向かう方向の付勢力を前記第１導電部材に付与して前記第１導電部材を前記突出位置に変位させ、前記第１導電部材を前記第２導電部材と接触させ、
前記保持部は、前記カバー部が前記第１姿勢から前記第２姿勢にされたことに応じて前記第１導電部材を前記収容位置に戻す方向の力を付与して前記第１導電部材を前記収容位置で保持する請求項１に記載の画像読取装置。
【請求項６】
前記保持部は、前記第１導電部材を前記収容位置において弾性保持し、
前記付勢部は、前記保持部による弾性力に抗して前記第１導電部材を前記突出位置に変位させる請求項５に記載の画像読取装置。
【請求項７】
前記保持部は、前記第１導電部材の外側端部と前記上面とが同一面上に位置する状態、又は、前記第１導電部材全体が前記第１筐体の内部に没入した状態で前記第１導電部材を弾性保持する請求項６に記載の画像読取装置。
【請求項８】
前記付勢部は、
前記第１導電部材及び前記第２導電部材のいずれか一方を変位させる駆動力を発生し、前記駆動力により、前記第１導電部材及び前記第２導電部材のいずれか一方を、前記基準位置へ向かう方向とその逆方向である前記保持部による保持位置へ向かう方向とに変位させ得る駆動部と、
前記カバー部が前記第１姿勢である状態において前記第１導電部材及び前記第２導電部材のいずれか一方を前記基準位置へ向かう方向へ変位させる前記駆動力を前記駆動部に発生させて前記第１導電部材及び前記第２導電部材を互いに接触させる第１駆動制御部と、
を備える請求項１、５乃至７の何れか一項に記載の画像読取装置。
【請求項９】
前記駆動部は、前記第１導電部材及び前記第２導電部材に設けられた一対の対向部の間で磁気による引力及び斥力を発生可能であり、
前記第１駆動制御部は、前記カバー部が前記第１姿勢である状態において前記駆動力として前記引力を発生する状態に前記駆動部をすることにより、前記第１導電部材及び前記第２導電部材のいずれか一方を前記基準位置に変位させる前記駆動力を前記駆動部に発生させる請求項８に記載の画像読取装置。
【請求項１０】
前記第１駆動制御部は、前記原稿載置面に載置された前記原稿の画像を読み取る読取ジョブが実行されているとき、前記駆動部に前記引力を発生させる請求項９に記載の画像読取装置。
【請求項１１】
前記原稿載置面に載置された前記原稿の画像を読み取る読取ジョブが終了したとき、前記駆動部に前記斥力を発生させる第２駆動制御部を更に備える請求項９又は１０に記載の画像読取装置。
【請求項１２】
予め定められたユーザー操作が行われたとき、前記駆動部に前記斥力を発生させる第３駆動制御部を更に備える請求項９乃至１１の何れか一項に記載の画像読取装置。
【請求項１３】
一対の前記対向部は、それぞれ永久磁石及び電磁石である請求項９乃至１２の何れか一項に記載の画像読取装置。
【請求項１４】
前記永久磁石は、前記第１導電部材に設けられ、
前記電磁石は、前記第２導電部材に設けられ、
前記カバー部が前記第１姿勢にある状態において、前記第１導電部材が前記上面から突出した突出位置に位置するときに前記永久磁石が位置する前記電磁石に対向した第１位置と、前記第１導電部材が前記第１筐体の内部に収容された収容位置に位置するときの前記永久磁石の位置であって前記第１位置よりも下側の第２位置との間で、前記永久磁石を変位可能に案内する案内部と、
前記永久磁石が少なくとも前記第１位置及び前記第２位置の一方に位置することを検出する検出部と、
前記駆動部が前記引力を発生する状態であるときに、前記検出部の検出結果に応じて前記カバー部が前記第２姿勢及び前記第１姿勢のいずれであるかを判定する判定部と、
を更に備える請求項１３に記載の画像読取装置。
【請求項１５】
前記画像読取部は、撮像素子と、前記撮像素子を駆動する駆動回路とを有する請求項１乃至１４の何れか一方に記載の画像読取装置。
【請求項１６】
請求項１乃至１５の何れか一項に記載の画像読取装置と、
前記画像読取装置で読み取った画像を形成する画像形成部と、
を備える画像形成装置。
【発明の詳細な説明】
【技術分野】
【０００１】
本発明は、原稿載置面を覆うためのカバー部を有する画像読取装置及び前記画像読取装置を備える画像形成装置に関する。
【背景技術】
【０００２】
原稿載置面を有する画像読取部の上方にカバー部を備えた画像読取装置及びそれを含む複合機等の画像形成装置が広く知られている。前記カバー部は、通常、前記装置本体の背面側の位置において、前記原稿載置面を開放する開放姿勢と前記原稿載置面を覆う閉塞姿勢との間で回動可能に支持されている（例えば、特許文献１参照）。
【先行技術文献】
【特許文献】
【０００３】
【特許文献１】特開２０１４−０９３７３６号公報
【発明の概要】
【発明が解決しようとする課題】
【０００４】
この種の画像読取装置においては、回動軸側の位置では前記カバー部の筐体と前記画像読取部の筐体とが電気的に導通されているが、前記カバー部の回動軸側の位置では前記カバー部の筐体と前記画像読取部の筐体とが電気的に導通されていない。そのため、カバー部がアンテナとなり、前記画像読取部に備えられる撮像素子に信号を出力する回路や配線などから生じる電磁波ノイズを前記カバー部の回動端から放出することがある。このような前記電磁波ノイズの放出は、前記画像読取装置の周囲にある他の電子機器に影響を与える虞がある。
【０００５】
上記の問題に対する対策として、前記カバー部の前記回動端側を前記画像読取部に筐体接地させることが考えられる。
【０００６】
このような筐体接地構造として、例えば、前記画像読取部の筐体と前記カバー部の筐体とを電気的に導通させるための接触部材が、前記画像読取部及び前記カバー部の互いに対面し得る一対の面の少なくとも一方の面に取り付けられるものが考えられる。
【０００７】
しかしながら、この場合、前記接触部材がその取付面から出っ張る。そのため、ユーザーの手などがその部材に引っかかる可能性がある。或いは、ユーザーが前記原稿載置面に載置しようとしたり前記原稿載置面から取り出そうとしたりする原稿がその部材に引っかかる可能性もある。このような引っかかりが発生した場合、前記部材に大きな負荷がかかってその部材が破損したり、原稿が破損したりする虞がある。
【０００８】
また、前記部材が、前記原稿載置面に原稿を載置したり前記原稿載置面から原稿を取り出したりする操作の障害にもなり得る。
【０００９】
本発明の目的は、装置等の破損及び操作性の低下を防止しつつ、前記電磁波ノイズを前記カバー部から放出するのを防止することのできる画像読取装置及び前記画像読取装置を備える画像形成装置を提供することである。
【課題を解決するための手段】
【００１０】
本発明の一の局面に係る画像読取装置は、画像読取部と、カバー部と、導通部と、第１導電部材及び第２導電部材と、付勢部とを備える。前記画像読取部は、原稿が載置される原稿載置面を上面に含む導電性を有する第１筐体を備え、前記原稿載置面に載置された前記原稿の画像を読み取る。前記カバー部は、前記第１筐体の上面端部を回動中心として、前記上面を覆う第１姿勢と前記上面から離れる第２姿勢との間で回動可能に前記第１筐体に支持された第２筐体を備え、前記第１姿勢で前記上面に接触可能なカバー面を含む。前記導通部は、前記カバー部における前記回動中心側の予め定められた位置で前記第１筐体と前記第２筐体とを電気的に導通させる。第１導電部材及び第２導電部材は、前記カバー部が前記第１姿勢にある状態で前記カバー部における回動端側の予め定められた位置で互いに対向するように設けられている。前記第１導電部材は、前記画像読取部に設けられて前記第１筐体に電気的に導通している。前記第２導電部材は、前記カバー部に設けられて前記第２筐体に電気的に導通している。前記付勢部は、前記カバー部が前記第１姿勢にあるときに前記上面と前記カバー面とが接触する予め定められた基準位置へ向かう方向へ前記第１導電部材及び前記第２導電部材のいずれか一方又は両方を付勢する。前記保持部は、前記カバー部が前記第１姿勢から前記第２姿勢にされたことに応じて前記第１導電部材及び前記第２導電部材のいずれか一方又は両方を保持する。
【００１１】
本発明の他の局面に係る画像形成装置は、前記画像読取装置と、前記画像読取装置で読み取った画像を形成する画像形成部とを備える。
【発明の効果】
【００１２】
本発明によれば、装置等の破損及び操作性の低下を防止しつつ、前記電磁波ノイズを前記カバー部から放出するのを防止することのできる画像読取装置及び前記画像読取装置を備える画像形成装置を提供することができる。
【図面の簡単な説明】
【００１３】
【図１】図１は、本発明の第１の実施形態に係る画像読取装置を含む画像形成装置の内部構成を示す構成図である。
【図２】図２は、本発明の第１の実施形態に係る画像読取装置を含む画像形成装置の構成を示すブロック図である。
【図３】図３（Ａ）は、原稿カバーの閉塞姿勢を示す図、図３（Ｂ）は、原稿カバーの開放姿勢を示す図である。
【図４】図４は、第１導電部材、第２導電部材、磁力生成部の構成を示す図である。
【図５】図５は、第１導電部材、第２導電部材及び磁力生成部により画像読取部と原稿カバーとが導通されている状態を示す図である。
【図６】図６は、画像読取装置の開放姿勢を表す斜視図である。
【図７】図７は、制御部による導通処理を示すフローチャートである。
【図８】図８は、本発明の第６の実施形態に係る画像読取装置を含む画像形成装置の構成を示すブロック図である。
【図９】図９は、本発明の第７の実施形態に係る画像読取装置を含む画像形成装置の構成を示すブロック図である。
【図１０】図１０は、本発明の第７の実施形態に係る画像読取装置を含む画像形成装置の外観図である。
【図１１】図１１は、本発明の第８の実施形態に係る画像読取装置を含む画像形成装置の構成を示すブロック図である。
【図１２】図１２（Ａ）は、永久磁石が第２位置に位置する状態における磁力生成部の図、図１２（Ｂ）は、永久磁石が第１位置に位置する状態における磁力生成部の図である。
【発明を実施するための形態】
【００１４】
［第１の実施形態］
図１〜図６を参照して、本発明の第１の実施形態に係る画像形成装置１００について説明する。以下の説明では、画像形成装置１００が平坦面に設置された状態を基準として上下方向５０１を定義する。また、画像形成装置１００を手前側（正面側）から見て左右方向５０２を定義する。また、図１の紙面に直交する方向を前後方向５０３と定義する。
【００１５】
画像形成装置１００は、画像読取機能、ファクシミリー機能、及び画像形成機能などを備える複合機である。なお、画像形成装置１００は、複合機に限られず、例えばファクシミリー装置または複写機等であってもよい。
【００１６】
画像形成装置１００は、画像読取装置１と画像形成部２とを有する。画像読取装置１は、画像読取部３と原稿カバー４とを有する。
【００１７】
画像読取部３は、原稿から画像データを読み取る読取ジョブを実行する。画像読取部３は、筐体３Ａ（図３参照）を備える。筐体３Ａは、筐体フレーム（不図示）を有する。前記筐体フレームは、例えば金属などの導電性を有する素材で作成されている。筐体３Ａは、本発明の第１筐体の一例である。
【００１８】
画像読取部３には、コンタクトガラス１０、読取ユニット１１、ミラー１２、１３、光学レンズ１４及び撮像素子１５などが設けられている。画像読取部３には、撮像素子１５に信号を出力する駆動回路（不図示）も含まれる。
【００１９】
コンタクトガラス１０の上側のガラス面は、原稿載置面１０Ａ２である。画像読取部３の上面３Ａ１は、原稿載置面１０Ａ２を含んで構成されている（図６参照）。すなわち、
画像読取部３は、原稿が載置される原稿載置面１０Ａ２を上面３Ａ１に含む。
【００２０】
読取ユニット１１は、コンタクトガラス１０の下方に設けられている。読取ユニット１１は、ＬＥＤ光源１６及びミラー１７を備えており、ステッピングモーター等の駆動モーターを用いた移動機構（不図示）により左右方向５０２へ移動可能に構成されている。
【００２１】
ミラー１７は、ＬＥＤ光源１６から光が照射されたときに、原稿載置面１０Ａ２に載置された原稿で反射した反射光をミラー１２へ向けて反射する。撮像素子１５は、前記反射光を受光し、受光量（輝度の強度）に応じた電気信号（電圧）を出力する光電変換素子である。前記受光量に応じた前記電気信号は、デジタル化されて光量データとして制御部９へ伝送される。
【００２２】
画像読取部３による原稿の画像の読み取りは、以下の手順で行われる。
【００２３】
ユーザーにより原稿がコンタクトガラス１０上に載置され、原稿カバー４が後述の閉塞姿勢（図３（Ａ）参照）にされる。その後、ユーザーにより画像読取開始操作が操作表示部６に対して行われる。
【００２４】
前記画像読取開始操作が行われると、画像読取部３により読取ジョブが実行される。前記読取ジョブにおいては、前記駆動モーターが予め定められたホームポジションに位置する読取ユニット１１を左右方向５０２へ移動させ、これと並行してＬＥＤ光源１６が連続して順次１ライン分の光を照射する処理が行われる。これにより、ＬＥＤ光源１６から画像読取部３の上面に設けられたコンタクトガラス１０へ向けて照射される光が左右方向５０２へ走査される。
【００２５】
そして、原稿からの反射光がミラー１７，１２、１３及び光学レンズ１４を介して撮像素子１５に導かれ、撮像素子１５の受光量に応じた前記光量データが順次画像処理部（不図示）へ伝送される。前記画像処理部は、その光量データを処理することにより、前記光量データから原稿の画像情報を生成する。このように、画像読取部３は、原稿載置面１０Ａ２に載置された前記原稿の画像を読み取る。
【００２６】
原稿カバー４は、画像読取部３の上方に設けられている。原稿カバー４は、筐体４Ａ（図３参照）を有する。筐体４Ａは、筐体フレーム（不図示）を有する。前記筐体フレームは、例えば金属などの導電性を有する材質で作成されている。筐体４Ａは、本発明の第２筐体の一例である。
【００２７】
図３に示されるように、原稿カバー４は、画像読取部３における上面３Ａ１の端部を回動中心として、閉塞姿勢と開放姿勢との間で画像読取部３の筐体３Ａに回動可能に支持されている。前記回動中心となる端部は、前後方向５０３後ろ側（背面側）の端部である。よって、原稿カバー４の前後方向５０３前側の端部が、回動端となる。前記閉塞姿勢は、原稿カバー４が画像読取部３の筐体３Ａにおける上面３Ａ１を覆う姿勢である（図３（Ａ）参照）。前記開放姿勢は、原稿カバー４が画像読取部３の上面３Ａ１から離れる姿勢である（図３（Ｂ）参照）。
【００２８】
原稿カバー４は、本発明のカバー部の一例である。前記閉塞姿勢は、本発明の第１姿勢に相当し、前記開放姿勢は、本発明の第２姿勢に相当する。
【００２９】
原稿カバー４の下面は、原稿カバー４が前記閉塞姿勢のときに、画像読取部３の筐体３Ａにおける上面３Ａ１に接触するカバー面４Ｂである。
【００３０】
画像形成装置１００は、導通部７０を有する。導通部７０は、画像読取部３の筐体３Ａ（筐体フレーム）に形成された複数の支持部７１と、原稿カバー４の筐体４Ａ（筐体フレーム）に架け渡された回動軸７２とを有する。支持部７１には、回動軸７２が貫通されている。これにより、前述のように、筐体４Ａは、回動軸７２を回動中心として前記閉塞姿勢と前記開放姿勢との間で回動可能となっている。
【００３１】
支持部７１及び回動軸７２は、金属などの導電性を有する素材で作成されている。そのため、支持部７１及び回動軸７２は電気的に導通している。よって、画像読取部３の筐体３Ａと原稿カバー４の筐体４Ａとは電気的に導通している。
【００３２】
このように、導通部７０は、回動軸７２を回動中心として、画像読取部３の筐体３Ａと原稿カバー４の筐体４Ａとを電気的に導通させる。
【００３３】
原稿カバー４は、前記開放姿勢となると原稿載置面１０Ａ２から離隔し、前記閉塞姿勢となると原稿載置面１０Ａ２に近接する。原稿カバー４は、前記閉塞姿勢において、原稿載置面１０Ａ２上に載置された原稿をその下面が原稿載置面１０Ａ２に沿う状態に押さえるとともに、読取ユニット１１へ向かう外光を遮る。
【００３４】
原稿カバー４には、リミットスイッチなどのカバー開閉センサー（不図示）が設けられている。前記カバー開閉センサーは、原稿カバー４が前記開放姿勢であるときと前記閉塞姿勢よりも前記開放姿勢寄りの姿勢であるときとでＯＮ／ＯＦＦの状態が切り替わるカバー検出信号を制御部９に出力する。
【００３５】
前記カバー開閉センサーの検出結果は次のような場合に用いられる。例えば、前記画像読取開始操作が行われたときに、原稿カバー４が前記開放姿勢であることが前記カバー開閉センサーにより検出された場合に、画像読取部３による読取動作の実行が一時的に保留され、その旨が報知される。
【００３６】
その後、原稿カバー４が前記閉塞姿勢であることが前記カバー開閉センサーにより検出された場合に、画像読取部３による読取動作が実行される。
【００３７】
なお、原稿カバー４が前記閉塞姿勢であることが前記カバー開閉センサーにより検出されていない場合であっても、再び前記画像読取開始操作が行われたときには、画像読取部３による読取動作が実行される。
【００３８】
原稿カバー４は、ＡＤＦ１８を有する。ＡＤＦ１８は、原稿セット部１９にセットされた原稿を複数の搬送ローラーにより１枚ずつ順次搬送する。これにより、前記原稿が上面３Ａ１の予め定められた原稿読取位置を左右方向５０２へ通過する。ＡＤＦ１８による原稿の移動時は、前記原稿読取位置の下方に読取ユニット１１が停止した状態で原稿の画像が読み取られる。
【００３９】
画像形成部５は、画像読取部３で読み取られた画像情報、又は外部のパーソナルコンピューター等の情報処理装置から後述する通信Ｉ／Ｆ部８（図２参照）を通じて入力された画像形成ジョブに基づいて電子写真方式で記録シートに対する画像形成処理（印刷処理）を実行する。
【００４０】
画像形成部５は、給紙カセット７を有する。また、画像形成部５は、感光体ドラム２０、帯電部２１、現像部２２、トナーコンテナ２３、転写ローラー２４、除電部２５、定着ローラー２６、及び加圧ローラー２７を備えている。
【００４１】
画像形成部５は、給紙カセット７から供給される記録シートに対する画像形成処理を以下の手順で行う。
【００４２】
印刷指示を含む画像形成ジョブが入力されると、帯電部２１により感光体ドラム２０が所定の電位に一様に帯電される。次に、画像形成ジョブに含まれる画像情報に基づいて、ＬＳＵ（レーザスキャニングユニット）から感光体ドラム２０の表面に照射される光の出力強度が制御される。
【００４３】
これにより、感光体ドラム２０の表面に静電潜像が形成される。そして、感光体ドラム２０上の静電潜像は現像部２２によりトナー像として現像（可視像化）される。なお、現像部２２には、トナーコンテナ２３からトナー（現像剤）が補給される。
【００４４】
続いて、感光体ドラム２０に形成されたトナー像は転写ローラー２４により記録シートに転写される。その後、前記記録シートに転写されたトナー像は、その記録シートが定着ローラー２６及び加圧ローラー２７の間を通過して排出される際に定着ローラー２６で加熱されて溶融定着する。なお、感光体ドラム２０の電位は除電部２５で除電される。
【００４５】
画像形成装置１００は、通信Ｉ／Ｆ部８を有する。通信Ｉ／Ｆ部８は、画像形成装置１００にインターネット又はＬＡＮのような通信ネットワークを介して接続された外部装置との間でデータ通信を実行するインターフェイスである。
【００４６】
画像読取装置１は、操作表示部６及び制御部９を備えている。操作表示部６は、表示部２９と操作部３０とを有する。
【００４７】
表示部２９は、例えばカラー液晶ディスプレイなどを有し、操作表示部６を操作するユーザーに対して各種の情報を表示する。操作部３０は、表示部２９に隣接配置された各種の押しボタンキー及び表示部２９の表示画面上に配置されるタッチパネルセンサーなどのうちの１つ又は複数を有し、画像形成装置１００のユーザーによる各種の指示の入力のための操作を受け付ける。なお、操作表示部６は、ユーザーから画像読取動作などの各種の処理の実行指示の操作を受けると、その操作に対応する操作信号を制御部９に出力する。
【００４８】
制御部９は、ＣＰＵと、ＲＯＭと、ＲＡＭとを備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。制御部９は、前記ＣＰＵが前記ＲＯＭに記憶されているプログラムを実行することにより、画像形成装置１００の動作を制御する。
【００４９】
制御部９の前記ＲＯＭには、制御部９の前記ＣＰＵに後述の処理（図７のフローチャート参照）を実行させる為の処理プログラムが記憶されている。前記処理プログラムは、画像形成装置１００の出荷時点で前記ＲＯＭに記憶されていてもよい。或いは、前記処理プログラムがＣＤ、ＤＶＤ、フラッシュメモリーなどのコンピューター読み取り可能な記録媒体に記録されており、前記出荷後に、前記処理プログラムが前記記録媒体から制御部９の前記ＲＯＭに記憶されてもよい。
【００５０】
ところで、画像形成装置１００においては、回動軸７２側の位置では画像読取部３の筐体と原稿カバー４の筐体とが電気的に導通されている。しかし、原稿カバー４の回動軸７２側の位置では画像読取部３の筐体３Ａと原稿カバー４の筐体４Ａとが電気的に導通されていないと、原稿カバー４がアンテナとなり、画像読取部３に備えられる撮像素子１５に信号を出力する駆動回路や配線などから生じる電磁波ノイズを原稿カバー４の回動端から放出することがある。このような前記電磁波ノイズの放出は、画像形成装置１００の周囲にある他の電子機器に影響を与える虞がある。
【００５１】
上記の問題に対する対策として、原稿カバー４の前記回動端側を画像読取部３に筐体接地させるという手段がある。
【００５２】
このような筐体接地構造として、例えば、画像読取部３の筐体３Ａと原稿カバー４の筐体４Ａとを電気的に導通させるための接触部材が、画像読取部３及び原稿カバー４の互いに対面し得る一対の面の少なくとも一方の面に取り付けられるものがある。
【００５３】
しかしながら、この場合、前記接触部材がその取付面から出っ張る。そのため、何らかの物やユーザーの手などがその部材に引っかかる可能性がある。或いは、ユーザーが原稿載置面１０Ａ２に載置しようとしたり原稿載置面１０Ａ２から取り出そうとしたりする原稿がその部材に引っかかる可能性もある。このような引っかかりが発生した場合、前記部材に大きな負荷がかかってその部材が破損したり、原稿が破損したりする虞がある。
【００５４】
また、前記部材が、原稿載置面１０Ａ２に原稿を載置したり原稿載置面１０Ａ２から原稿を取り出したりする操作の障害にもなり得る。そこで、画像読取装置１は、次のような構成を有する。
【００５５】
画像読取装置１は、第１導電部材８１と第２導電部材８２とを有する。
【００５６】
第１導電部材８１は、画像読取部３に設けられている。第２導電部材８２は、原稿カバー４に設けられている。後述するように、第１導電部材８１及び第２導電部材８２は、原稿カバー４が前記閉塞姿勢のときに、画像読取部３の筐体３Ａと原稿カバー４の筐体４Ａとを電気的に導通させる。
【００５７】
第１導電部材８１と第２導電部材８２とは、原稿カバー４が前記閉塞姿勢にある状態で、互いに対向するように設けられている。
【００５８】
第１導電部材８１と第２導電部材８２とは、原稿カバー４が前記閉塞姿勢にある状態で、原稿カバー４における回動端側（前後方向５０３における前側）の位置、且つ、画像読取部３の上面３Ａ１のうち原稿載置面１０Ａ２以外の位置で対向する。
【００５９】
本実施形態では、第１導電部材８１と第２導電部材８２とは、図５に示されるように、コンタクトガラス１０よりも前後方向５０３前側の位置であって、左右方向５０２における左寄りの位置で対向する。
【００６０】
第１導電部材８１は、例えば金属などの導電性を有する素材で構成されている。第１導電部材８１は、画像読取部３の筐体３Ａの内部に設けられており、ネジなどの連結部材８３、８４によって画像読取部３の前記筐体フレームに固定されている。これにより、第１導電部材８１は、画像読取部３の前記筐体フレームと電気的に導通している。
【００６１】
本実施形態では、第１導電部材８１は、導電性を有する板材がプレス加工によって折り曲げられ、図４に示されるように、第１平板部８１Ａ１と、第２平板部８１Ａ２と、凸部８１Ａ３とを有する。凸部８１Ａ３は、第１平板部８１Ａ１と第２平板部８１Ａ２との間に形成されている。
【００６２】
第１導電部材８１は、凸部８１Ａ３が第１平板部８１Ａ１及び第２平板部８１Ａ２から上方に突出する姿勢で画像読取部３の前記筐体フレームに取り付けられている。第１導電部材８１は、この姿勢で、ネジなどの連結部材により、第１平板部８１Ａ１及び第２平板部８１Ａ２において画像読取部３の前記筐体フレームに締結されている。凸部８１Ａ３は、一定の平面領域を有する頂部８１Ｘを有する。凸部８１Ａ３の頂部８１Ｘは、第１平板部８１Ａ１及び第２平板部８１Ａ２よりも画像読取部３の上面１０Ａに近い位置に位置する。
【００６３】
画像読取部３の上面３Ａ１のうち第１導電部材８１が設けられている位置には、穴部Ｈ１が設けられている。凸部８１Ａ３の頂部８１Ｘは、原稿カバー４が前記閉塞姿勢のとき穴部Ｈ１を介して原稿カバー４に臨む。
【００６４】
第２導電部材８２は、第１導電部材８１と同様、例えば金属などの導電性を有する素材で構成されている。第２導電部材８２は、原稿カバー４の筐体４Ａの内部に設けられている。第２導電部材８２は、筐体４Ａの内部に於ける後述の保持位置とカバー面から突出した突出位置との間で変位可能に筐体４Ａに設けられている。
【００６５】
原稿カバー４の筐体４Ａには、前記筐体フレームに摺動可能に設けられた摺動部材９１が設けられている。摺動部材９１は、例えば金属などの導電性を有する素材で構成されており、カバー面４Ｂの法線方向に摺動可能である。第２導電部材８２は、ネジなどの連結部材８５、８６により、摺動部材９１に取り付けられている。これにより、第２導電部材８２は、原稿カバー４の前記筐体フレームと電気的に導通している。
【００６６】
前記摺動部材は、前述したようにカバー面４Ｂの法線方向に摺動可能である。第２導電部材８２は、この摺動部材に取り付けられているため、原稿カバー４が前記閉塞姿勢のとき、画像読取部３に対し接近及び離隔することができる。
【００６７】
本実施形態では、第２導電部材８２は、第１導電部材８１と同様、導電性を有する板材がプレス加工によって折り曲げられ、第１平板部８２Ａ１と、第２平板部８２Ａ２と、凹部８２Ａ３とを有する。凹部８２Ａ３は、第１平板部８２Ａ１と第２平板部８２Ａ２との間に形成されている。
【００６８】
第２導電部材８２は、凹部８２Ａ３が第１平板部８２Ａ１及び第２平板部８２Ａ２から下方に突出する姿勢で画像読取部３の前記筐体フレームに取り付けられている。第２導電部材８２は、この姿勢で、ネジなどの連結部材により、第１平板部８１Ａ１及び第２平板部８１Ａ２において原稿カバー４の前記筐体フレームに締結されている。凹部８２Ａ３は、一定の平面領域を有する底部８２Ｘを有する。凹部８２Ａ３の底部８２Ｘは、第１平板部８２Ａ１及び第２平板部８２Ａ２よりも原稿カバー４のカバー面４Ｂに近い位置に位置する。
【００６９】
原稿カバー４のカバー面４Ｂのうち第２導電部材８２が設けられている位置には、穴部Ｈ２が設けられている。凹部８２Ａ３の底部８２Ｘは、原稿カバー４が前記閉塞姿勢のとき穴部Ｈ２を介して画像読取部３に臨む。
【００７０】
保持部８７、８８は、後述する磁力生成部５０が磁力を発生していない場合に、第２導電部材８２を原稿カバー４の筐体４Ａの内部に収容された状態での予め定められた保持位置で弾性保持する。第２導電部材８２が前記保持位置で保持されているとき、第２導電部材８２の凹部８２Ａ３は、穴部Ｈ２から突出せず、原稿カバー４の筐体４Ａの内部に没入している。すなわち、第２導電部材８２は、原稿カバー４の筐体４Ａの内部に収容された状態となる。なお、保持部８７、８８は、第２導電部材８２の底部８２Ｘとカバー面４Ｂとが同一面となる状態で弾性保持してもよい。前記保持位置は、本発明の収容位置に対応する。
【００７１】
保持部８７、８８は、本実施形態においては、コイルバネである。保持部８７、８８の一端は、原稿カバー４の筐体４Ａに取り付けられている。また、保持部８７の他端は、第２導電部材８２の第１平板部８２Ａ１に取り付けられている。保持部８８の他端は、第２導電部材８２の第２平板部８２Ａ２に取り付けられている。
【００７２】
なお、コイルバネが金属などの導電性を有する材質で構成されている場合、このコイルバネによっても、第２導電部材８２は、原稿カバー４の前記筐体フレームと電気的に導通している。
【００７３】
画像読取装置１は、磁力生成部５０を有する。磁力生成部５０は、永久磁石５１と電磁石５２とを有する。本実施形態に係る画像形成装置１００においては、永久磁石５１が画像読取部３に内蔵され、また、電磁石５２が原稿カバー４に内蔵されている。永久磁石５１及び電磁石５２は、原稿カバー４が前記閉塞姿勢のときに、互いに対向する位置に設けられている。
【００７４】
永久磁石５１は画像読取部３に固定されている。永久磁石５１は、第１導電部材８１に対して原稿カバー４と反対側に設けられている。具体的には、永久磁石５１は、頂部８１Ｘのうち原稿カバー４と反対側の面に密着した状態で設けられている。
【００７５】
電磁石５２は原稿カバー４に変位可能に設けられている。電磁石５２は、第２導電部材８２に対して画像読取部３と反対側に設けられている。具体的には、電磁石５２は、底部８２Ｘのうち画像読取部３と反対側の面に密着した状態で設けられている。
【００７６】
磁力生成部５０は、永久磁石５１と電磁石５２との間において磁気による引力及び斥力を選択的に発生する。磁力生成部５０は、本発明における駆動部の一例である。永久磁石５１及び電磁石５２は、本発明における磁力生成部の一対の対向部に相当する。
【００７７】
本実施形態においては、電磁石５２が、供給される電流の方向に応じて、永久磁石５１を引き寄せる磁界と永久磁石５１を離す磁界とを選択的に発生可能である。これにより、永久磁石５１と電磁石５２との間の前記引力及び前記斥力が選択的に発生可能である。なお、電流が電磁石５２に供給されない場合、永久磁石５１と電磁石５２との間には前記引力及び前記斥力のいずれも発生しない。
【００７８】
磁力生成部５０は、第２導電部材８２を変位させる駆動力を発生する。そして、カバー面４Ｂの位置を基準位置Ｌ１として、前記駆動力により、第２導電部材８２を、基準位置Ｌ１へ向かう方向とその逆方向である保持部８７、８８による保持位置へ向かう方向とに変位させ得る。基準位置Ｌ１は、原稿カバー４が前記閉塞姿勢の状態においては、画像読取部３の筐体３Ａにおける上面３Ａ１と原稿カバー４のカバー面４Ｂとの接触面の上下方向５０１における位置ともいえる。
【００７９】
制御部９は、必要に応じて電磁石５２への供給電流の方向を切り替えることにより、磁力生成部５０を、前記引力を発生する第１状態と前記斥力を発生する第２状態とに切り替える。なお、制御部９が、磁力生成部５０を前記引力及び前記斥力のいずれも発生しない状態に切り替える場合もある。この場合、制御部９は、電磁石５２に電流を供給しない。
【００８０】
以下の説明において、磁力生成部５０を前記第１状態に設定する場合に電磁石５２に供給する電流を正電流、磁力生成部５０を前記第２状態に設定する場合に電磁石５２に供給する電流を逆電流という。
【００８１】
制御部９は、第１磁力制御部５４を有する。第１磁力制御部５４は、原稿カバー４が前記閉塞姿勢である状態において磁力生成部５０を前記引力を発生する状態にする。これにより、第１磁力制御部５４は、保持部８７、８８による保持力に抗して第２導電部材８２を基準位置Ｌ１へ向かう方向の付勢力（駆動力）を磁力生成部５０に発生させて第２導電部材８２に付与する。
【００８２】
これにより、本実施形態では、第２導電部材８２は、穴部Ｈ２から基準位置Ｌ１を超えて外部に突出し、画像読取部３の穴部Ｈ１を通って筐体３Ａの内部で第１導電部材８１と密着する。第２導電部材８２が第１導電部材８１と密着するときの第２導電部材８２の位置を突出位置という。
【００８３】
第１磁力制御部５４は、磁力生成部５０に前記正電流を供給し続けることで、原稿カバー４が前記閉塞姿勢にあるときに上面３Ａ１とカバー面４Ｂとが接触する基準位置Ｌ１へ向かう方向へ第２導電部材８２を付勢する。第１磁力制御部５４は、第１駆動制御部の一例である。このように、第２導電部材８２は、前記保持位置と前記突出位置との間で変位可能である。
【００８４】
次に、図７を用いて、制御部９による導通処理について説明する。なお、図７のフローチャートにおいてステップＳ７０１、Ｓ７０２、・・・は処理手順（ステップ）番号を表している。
【００８５】
＜ステップＳ７０１＞
ステップＳ７０１において、制御部９は、前記カバー開閉センサー（不図示）から原稿カバー４が前記閉塞姿勢にされた旨の検出信号（カバー閉信号）を受信したか否か判定する。制御部９は、前記カバー閉信号を受信していないと判定した場合は（ステップＳ７０１でＮＯ）、再度ステップＳ７０１の処理を実行する。一方、制御部９は、前記カバー閉信号を受信したと判定した場合は（ステップＳ７０１でＹＥＳ）、ステップＳ７０２の処理に進む。
【００８６】
＜ステップＳ７０２＞
ステップＳ７０２において、第１磁力制御部５４は、電磁石５２へ前記正電流を供給することにより、磁力生成部５０に前記引力を発生させる。これにより、保持部８７、８８による保持力に抗して電磁石５２が画像読取部３側に変位する。この電磁石５２の変位に伴い、第２導電部材８２が穴部Ｈ２から突出し、第２導電部材８２の底部８２Ｘは、第１導電部材８１がある画像読取部３の穴部Ｈ１に進入する。さらに、図５に示されるように、第２導電部材８２の底部８２Ｘは、第１導電部材８１の頂部８１Ｘと密着する。
【００８７】
これにより、第１導電部材８１と第２導電部材８２とが電気的に導通する。その結果、画像読取部３の筐体３Ａと原稿カバー４の筐体４Ａとが電気的に導通する。本実施形態では、第１導電部材８１と第２導電部材８２とが密着する位置は、第２導電部材８２の筐体８２Ａの外部である第１導電部材８１の頂部８１Ｘの位置となる。
【００８８】
＜ステップＳ７０３＞
ステップＳ７０３において、制御部９は、前記カバー開閉センサー（不図示）から原稿カバー４が前記開放姿勢にされた旨の検出信号（カバー開信号）を受信したか否か判定する。制御部９は、前記カバー開信号を受信していないと判定した場合は（ステップＳ７０１でＮＯ）、再度ステップＳ７０１の処理を実行する。ステップＳ７０１において、制御部９は、前記カバー閉信号を受信したと判定されている間、第１磁力制御部５４は、電磁石５２へ前記正電流を供給し続けることにより、第２導電部材８２を第１導電部材８１に密着するよう付勢する。磁力生成部５０及び第１磁力制御部５４は、本発明の付勢部の一例である。一方、制御部９は、前記カバー開信号を受信したと判定した場合は（ステップＳ７０３でＹＥＳ）、ステップＳ７０４の処理に進む。
【００８９】
＜ステップＳ７０４＞
ステップＳ７０４において、第１磁力制御部５４は、電磁石５２へ前記正電流の供給を停止する。すなわち、制御部９は、磁力生成部５０が前記引力も前記斥力も発生しない状態へ切り替える。これにより、第２導電部材８２は、保持部８７、８８から前記保持位置に戻される方向の力が付与され、前記保持位置まで原稿カバー４の筐体４Ａの内部に没入する。このように、保持部８７、８８は、原稿カバー４が前記閉塞姿勢から前記開放姿勢にされたことに応じて、第２導電部材８２を保持する。
【００９０】
以上のように、本実施形態では、第１導電部材８１と第２導電部材８２とが、原稿カバー４における回動端側（前後方向５０３前側）の位置で接触可能である。よって、原稿カバー４がアンテナとなり、画像読取部３に備えられる撮像素子１５に信号を出力する駆動回路や配線などから生じる電磁波ノイズを原稿カバー４の回動端から放出するのを防止することができる。その結果、前記電磁波ノイズの放出に起因して画像形成装置１００の周囲にある他の電子機器に悪影響を与えることを未然に防止することができる。
【００９１】
また、原稿カバー４が前記開放姿勢である場合には、第１導電部材８１及び第２導電部材８２は、画像読取部３の上面３Ａ及び原稿カバー４のカバー面４Ｂから出っ張らない。よって、ユーザーの手などが接触部材に引っかかる可能性が無い。また、ユーザーが原稿載置面１０Ａ２に載置しようとしたり原稿載置面１０Ａ２から取り出そうとしたりする原稿がその接触部材に引っかかる可能性も無い。その結果、前記のような引っかかりによって前記接触部材を取り付けている部分に大きな負荷がかかってその部分が破損したり、原稿が破損したりすることを回避することができる。
【００９２】
また、第１導電部材８１と第２導電部材８２が、原稿載置面１０Ａ２に原稿を載置したり原稿載置面１０Ａ２から原稿を取り出したりする操作の障害になることも無い。
【００９３】
以上により、画像形成装置１００の破損及び操作性の低下を防止しつつ、前記電磁波ノイズを原稿カバー４から放出するのを防止することができる。
【００９４】
ところで、本実施形態では、原稿カバー４が前記閉塞姿勢のときに、永久磁石５１と電磁石５２との間に働く前記引力によって、第２導電部材８２は、画像読取部３の方に引き寄せられる。第２導電部材８２は、摺動部材９１を介して原稿カバー４の筐体４Ａに連結されているので、第２導電部材８２が画像読取部３の方に引き寄せられることに伴って、原稿カバー４が画像読取部３の方に引き寄せられる。
【００９５】
これにより、原稿の厚みが比較的大きい場合、或いは原稿に折り目が形成されている場合であっても、原稿カバー４の重みと磁力生成部５０の引力とによって前記原稿を原稿載置面１０Ａ２に押し付けることができる。また、原稿に折り目が形成されている場合などにおいては、原稿の一部が原稿載置面１０Ａ２から浮き上がることを防止することができる。
【００９６】
また、綺麗な読み取り画像を得るために、ユーザーが、画像読取の実行中にその終了を確認しながら原稿カバー４を押さえ続けるという手間も省くことができる。
【００９７】
［第２の実施形態］
前記実施形態では、第１導電部材８１が画像読取部３に固定され、第２導電部材８２が原稿カバー４において変位可能に設けられている。
【００９８】
これに対し、本実施形態では、第１導電部材８１が画像読取部３において変位可能に設けられ、第２導電部材８２が原稿カバー４に固定されている。また、第１導電部材８１は、保持部８７、８８により画像読取部３の筐体３Ａの内部における予め定められた保持位置で弾性保持されつつ画像読取部３において変位可能に設けられている。
【００９９】
第１導電部材８１が前記保持位置で保持されているとき、第１導電部材８１の凸部８１Ａ３は、穴部Ｈ１から突出せず、画像読取部３の筐体３Ａの内部に没入する。すなわち、第１導電部材８１は、画像読取部３の筐体３Ａの内部に収容された状態となる。なお、保持部８７、８８は、第１導電部材８１の頂部８１Ｘと上面３Ａとが同一面となる状態で弾性保持してもよい。或いは、保持部８７、８８は、第１導電部材８１全体が筐体３Ａの内部に没入した状態で第１導電部材８１を弾性保持するようにしてもよい前記保持位置は、本発明の収容位置に対応する。
【０１００】
磁力生成部５０は、第１導電部材８１を変位させる駆動力を発生する。そして、上面３Ｂの位置を基準位置Ｌ１として、前記駆動力により、第１導電部材８１を、基準位置Ｌ１へ向かう方向とその逆方向である保持部８７、８８による保持位置へ向かう方向とに変位させ得る。
【０１０１】
そして、第１磁力制御部５４は、原稿カバー４が前記閉塞姿勢である状態において磁力生成部５０を前記引力を発生する状態にする。これにより、第１磁力制御部５４は、保持部８７、８８による保持力に抗して第１導電部材８１を基準位置Ｌ１へ向かう方向の付勢力（駆動力）を磁力生成部５０に発生させて第１導電部材８１に付与する。
【０１０２】
これにより、第１導電部材８１は、穴部Ｈ１から基準位置Ｌ１を超えて外部に突出し、穴部Ｈ１から外部に突出し、原稿カバー４の穴部Ｈ２を通って第２導電部材８２と密着する。第２導電部材８２が第１導電部材８１と密着するときの第２導電部材８２の位置を突出位置という。
【０１０３】
第１磁力制御部５４は、磁力生成部５０に前記正電流を供給し続けることで、原稿カバー４が前記閉塞姿勢にあるときに上面３Ａ１とカバー面４Ｂとが接触する基準位置Ｌ１へ向かう方向へ第１導電部材８１を付勢する。第１磁力制御部５４は、第１駆動制御部の一例である。このように、第１導電部材８１は、前記保持位置と前記突出位置との間で変位可能である。また、第１導電部材８１が前記突出位置に位置している状態で、第１磁力制御部５４が、電磁石５２へ前記正電流の供給を停止すると、第２導電部材８２は、保持部８７、８８から前記保持位置に戻される方向の力が付与される。これにより、第２導電部材８２が前記保持位置まで原稿カバー４の筐体４Ａの内部に没入する。このように、保持部８７、８８は、原稿カバー４が前記閉塞姿勢から前記開放姿勢にされたことに応じて、第２導電部材８２を保持する。
【０１０４】
本実施形態においても、前記第１の実施形態と同様の効果が得られる。なお、本実施形態において、第１導電部材８１と第２導電部材８２とが密着する位置は、第２導電部材８２の底部８２Ｘの位置となる。
【０１０５】
なお、第１の実施形態及び第２の実施形態においては、画像読取部３及び原稿カバー４のうち一方に備えられる一方の導電部材が突出し、他方の筐体内に進入して他方の導電部材と接触する。ただし、第１導電部材８１と第２導電部材８２とが、画像読取部３と原稿カバー４との接触面上で接触する構成も採用可能である。
【０１０６】
すなわち、第１の実施形態における変形例として、画像読取部３に備えられる第１導電部材８１における頂部８１Ｘの上面が、画像読取部３の上面３Ａと同一面上となるように保持部８７、８８により保持され、原稿カバー４に備えられる第２導電部材８２がその第１導電部材８１に接触する形態も採用可能である。
【０１０７】
また、第２の実施形態における変形例として、原稿カバー４に備えられる第２導電部材８２における底部８２Ｘの下面が、原稿カバー４のカバー面４Ａと同一面上となるように保持部８７、８８により保持され、画像読取部３に備えられる第１導電部材８１がその第２導電部材８２に接触する形態も採用可能である。
【０１０８】
さらに、画像読取部３に備えられる第１導電部材８１における頂部８１Ｘの上面が、画像読取部３の上面３Ａと同一面上となるように保持部８７、８８により保持される。また、また、原稿カバー４に備えられる第２導電部材８２における底部８２Ｘの下面が、原稿カバー４のカバー面４Ａと同一面上となるように保持部８７、８８により保持される。そして、原稿カバー４が前記閉塞姿勢とされると、第１導電部材８１における頂部８１Ｘの上面と第２導電部材８２における底部８２Ｘの下面とが接触する形態も採用可能である。
【０１０９】
［第３の実施形態］
【０１１０】
前記第１の実施形態及び前記第２の実施形態では、第１導電部材８１及び第２導電部材８２の何れか一方が固定され、他方が変位可能である。
【０１１１】
これに対し、本実施形態では、原稿カバー４及び画像読取部３各々に電磁石５２が内蔵されている。また、第１導電部材８１は、保持部８７、８８により保持されつつ画像読取部３において変位可能である。また、第２導電部材８２は、保持部８７、８８により保持されつつ原稿カバー４において変位可能である。
【０１１２】
そして、第１磁力制御部５４は、原稿カバー４が前記閉塞姿勢である状態において２つの電磁石５２間で前記引力を発生する状態にすることにより、保持部８７、８８による保持力に抗して第１導電部材８１及び第２導電部材８２を突出方向に変位させる前記駆動力を磁力生成部５０に発生させる。
【０１１３】
本実施形態においても、前記第１の実施形態と同様の効果が得られる。
【０１１４】
［第４の実施形態］
前記第１の実施形態では、原稿カバー４が前記閉塞姿勢である場合に磁力生成部５０に前記引力を発生させて、第１導電部材８１と第２導電部材８２とを密着させる。ただし、前記電磁波ノイズは、主に撮像素子１５を駆動する際、すなわち読取ジョブの実行中に発生する。
【０１１５】
そこで、本実施形態では、第１磁力制御部５４は、原稿カバー４が前記開放姿勢のときにおいて原稿載置面１０Ａ２に載置された前記原稿の画像を読み取る読取ジョブが実行されるという条件を満たす場合にのみ、磁力生成部５０に前記引力を発生させて第１導電部材８１と第２導電部材８２とを密着させる。前記読取ジョブが実行されているときとは、少なくとも、撮像素子１５で受光を開始してから前記受光を終了するまでの間をいう。
【０１１６】
［第５の実施形態］
前記第１実施形態では、第１磁力制御部５４による磁力生成部５０の制御によって第２導電部材８２が変位し、画像読取部３の筐体３Ａと原稿カバー４の筐体４Ａとが電気的に導通される。
【０１１７】
これに対し、本実施形態では、磁力生成部５０及び第１磁力制御部５４を備えず、原稿カバー４の姿勢に応じた第２導電部材８２等の重量バランスによって第２導電部材８２が変位して、画像読取部３の筐体３Ａと原稿カバー４の筐体４Ａとが電気的に導通される。
【０１１８】
すなわち、原稿カバー４が前記閉塞姿勢にされると、第２導電部材８２等に働く重力によって、第２導電部材８２が画像読取部３に向かって変位し、第１導電部材８１と第２導電部材８２とが密着する。一方、原稿カバー４が前記開放姿勢にされると、第２導電部材８２等に働く重力によって、第２導電部材８２が原稿カバー４の筐体４Ａの内部に没入する。
【０１１９】
本実施形態においても、前記電磁波ノイズに起因する悪影響が発生するのを防止することができる。
【０１２０】
［第６の実施形態］
本発明の第６の実施形態に係る画像形成装置２００は、第１の実施形態に係る画像形成装置１００の構成に加えて次の構成を備える。
【０１２１】
図８に示されるように、制御部９は、第１磁力制御部５４に加えて、第２磁力制御部５５を有する。
【０１２２】
第２磁力制御部５５は、前記読取ジョブが終了したとき、電磁石５２に前記逆電流を供給することにより、磁力生成部５０に前記斥力を発生させる。これにより、原稿カバー４が画像読取部３から離される。ここで、本実施形態では、前記逆電流の大きさは、原稿カバー４の前側の部位が画像読取部３から所定量浮き上がる程度の電流の大きさである。第２磁力制御部５５は、第２駆動制御部の一例である。
【０１２３】
前記逆電流として比較的大きな電流を電磁石５２に供給して比較的大きな斥力を発生させ、その斥力によって原稿カバー４が前記開放姿勢となるようにしてもよい。この場合、原稿カバー４の正面側を画像読取部３から所定量浮き上がらせる場合に比べて、ユーザーが所定量浮き上がった原稿カバー４を前記開放姿勢まで回動させる操作が不要となり、画像形成装置１００の利便性をより向上させることができる。
【０１２４】
［第７の実施形態］
本発明の第７の実施形態に係る画像形成装置３００は、第１の実施形態に係る画像形成装置１００の構成に加えて、次の構成を備える。
【０１２５】
図９、図１０に示されるように、本実施形態の画像形成装置３００における操作表示部６は、例えばプッシュボタン等のカバー用操作部６２を有する。カバー用操作部６２は、ユーザーにより操作される。カバー用操作部６２は、図１０に示されるように、例えば画像形成部２の筐体の適所に設けられている。カバー用操作部６２に対する操作は、本発明の予め定められたユーザー操作の一例である。
【０１２６】
制御部９は、第１磁力制御部５４に加えて、第３磁力制御部５６を有する。第３磁力制御部５６は、カバー用操作部６２の押圧操作が行われたときに、磁力生成部５０に前記斥力を発生させる。第３磁力制御部５６は、例えば前記終了条件が成立するまで磁力生成部５０が前記斥力を発生する状態を維持した後、磁力生成部５０に対する電流供給を停止する。第３磁力制御部５６は、第３駆動制御部の一例である。
【０１２７】
このような構成を有することにより、ユーザーは、所望のタイミングで、磁力生成部５０により原稿カバー４を前記開放姿勢にする、もしくは原稿カバー４を浮き上がらせた状態にすることができる。前記閉塞姿勢の位置の原稿カバー４よりも、原稿載置面１０Ａ２から浮き上がった位置の原稿カバー４の方が、より小さな力で前記開放位置へ持ち上げ可能である。その結果、画像形成装置３００の利便性及び操作性を向上させることができる。
【０１２８】
なお、カバー用操作部６２に対する操作によって磁力生成部５０に前記斥力を発生させる構成は、前記読取ジョブの状況に応じて磁力生成部５０に前記引力又は前記斥力を発生させる構成に代えて設けられてもよい。
【０１２９】
［第８の実施形態］
前記第１の実施形態においては、永久磁石５１が画像読取部３の所定位置に固定され、電磁石５２が原稿カバー４において変位可能に設けられている。
【０１３０】
これに対し、本実施形態の画像形成装置４００においては、永久磁石５１が画像読取部３において変位可能に設けられ、電磁石５２が原稿カバー４の所定位置に固定されている。
【０１３１】
そして、図１１、図１２に示されるように、本実施形態の画像形成装置４００においては、案内部６３、検出部６４及び判定部５７が設けられている。
【０１３２】
案内部６３は、例えば筒状の部材で構成されており、永久磁石５１は、案内部６３の内部を移動可能である。案内部６３は、原稿カバー４が前記閉塞姿勢である状態において、永久磁石５１を、電磁石５２に対向する第１位置と、前記第１位置よりも所定量下側の第２位置との間で変位可能に案内する。前記第１位置は、第１導電部材８１が前記突出位置に位置するときの永久磁石５１の位置である。前記第２位置は、第１導電部材８１が前記収容位置に位置するときの永久磁石５１の位置である。
【０１３３】
永久磁石５１は、原稿カバー４が前記閉塞姿勢である状況下で電磁石５２との間で前記引力が発生した場合に前記第１位置に位置し、それ以外のときには前記第２位置に位置する。これにより、磁力生成部５０の前記引力によって原稿カバー４が画像読取部３に引き寄せられる。
【０１３４】
検出部６４は、図１１、図１２に示されるように、本実施形態では、永久磁石５１が前記第１位置に位置する状態を検出する。また、検出部６４は、本実施形態では、フォトインタラプターである。図１１、図１２に示される検出部６４は、透過型のフォトインタラプターである。前記フォトインタラプターは、一定の間隔を隔てて対向する発光部６４Ａ及び受光部６４Ｂを備える。永久磁石５１は、前記第２位置に位置するときに発光部６４Ａと受光部６４Ｂとの間隙に位置する。
【０１３５】
発光部６４Ａから出力される光が永久磁石５１によって遮蔽される場合と、永久磁石５１が前記間隙に存在せず受光部６４Ｂに受光される場合とで、受光部６４Ｂから出力される信号の信号レベルが異なる。本実施形態では、発光部６４Ａから出力される光が永久磁石５１によって遮蔽された場合、受光部６４ＢからＬＯＷ信号が出力される。
【０１３６】
一方、永久磁石５１が前記間隙に存在せず受光部６４Ｂに受光される場合、受光部６４ＢからＨＩＧＨ信号が出力される。受光部６４Ｂから出力される信号が検出部６４の出力信号として制御部９に出力される。
【０１３７】
判定部５７は、電磁石５２に前記正電流が供給されて磁力生成部５０が前記引力を発生する状態であるときに、検出部６４の検出結果に応じて原稿カバー４が前記開放姿勢及び前記閉塞姿勢のいずれであるかを判定する。
【０１３８】
すなわち、判定部５７は、磁力生成部５０が前記引力を発生する状態である場合に、検出部６４からＨＩＧＨ信号が出力されたときには、原稿カバー４が前記閉塞姿勢であると判定する。また、判定部５７は、磁力生成部５０が前記引力を発生する状態である場合に、検出部６４からＬＯＷ信号が出力されたときには、原稿カバー４が前記閉塞姿勢ではないと判定する。
【０１３９】
このような構成を採用することにより、前記カバー開閉センサーが不要となる。
【０１４０】
なお、本実施形態では、永久磁石５１が前記第１位置することを検出する検出部が設けけられている。ただし、本発明は、この実施形態に限定されるものではない。すなわち、永久磁石５１が前記第２位置することを検出する検出部が更に設けられる構成も採用可能である。或いは、永久磁石５１が前記第１位置に位置することを検出する検出部、及び、前記第２位置に位置することを検出する検出部の何れか一方が設けられる構成も採用可能である。
【０１４１】
また、本実施形態では、制御部９は、前記読取ジョブが終了したときには、磁力生成部５０に前記斥力を発生させて、原稿カバー４を画像読取部３から離し、原稿カバー４の正面側を画像読取部３から所定量浮き上がらせる。
【０１４２】
これにより、本実施形態のように原稿カバー４にＡＤＦ１８が搭載されているタイプの画像形成装置１００、或いは、大判サイズの原稿に対応したタイプの画像形成装置などのように重い原稿カバー４の開閉操作を非力なユーザーでも行い易くなる。
【符号の説明】
【０１４３】
１００、２００、３００、４００：画像形成装置
１：画像読取装置
２：画像形成部
３：画像読取部
３Ａ：筐体
３Ａ１：上面
４：原稿カバー
４Ａ：筐体
４Ｂ：カバー面
９：制御部
１０Ａ２：原稿載置面
１５：撮像素子
５０：磁力生成部
５１：永久磁石
５２：電磁石
５４：第１磁力制御部
５５：第２磁力制御部
５６：第３磁力制御部
５７：判定部
６２：カバー用操作部
６３：案内部
６４：検出部
７０：導通部
８１：第１導電部材
８２：第２導電部材
８７、８８：保持部
【図１】
0006045554.tif 000002
【図２】
0006045554.tif 000003
【図３】
0006045554.tif 000004
【図４】
0006045554.tif 000005
【図５】
0006045554.tif 000006
【図６】
0006045554.tif 000007
【図７】
0006045554.tif 000008
【図８】
0006045554.tif 000009
【図９】
0006045554.tif 000010
【図１０】
0006045554.tif 000011
【図１１】
0006045554.tif 000012
【図１２】
0006045554.tif 000013